(57)【要約】【課題】回転柵の固定解除を容易に行うことができると同時に、不用意に固定解除を行ってしまう事態を避ける。【解決手段】固定柵１に対する回転柵２の固定操作及び固定解除操作のための操作レバー３と、操作レバー３の操作を規制するロックレバー４とを備える。ロックレバー４における上記規制の解除操作方向が、操作レバー３における回転柵の固定解除操作方向と逆方向となっている。【選択図】図１
2014064644.tif 000002
【特許請求の範囲】
【請求項１】
ベッドに固定される固定柵と、この固定柵に回転自在に連結される回転柵とからなるベッド用側柵における回転柵のロック構造であって、固定柵に対する回転柵の固定操作及び固定解除操作のための操作レバーと、操作レバーの操作を規制するロックレバーとを備え、上記ロックレバーにおける上記規制の解除操作方向が、上記操作レバーにおける回転柵の固定解除操作方向と逆方向となっていることを特徴とする回転柵のロック構造。
【請求項２】
上記ロックレバーにおける上記規制の解除操作方向が下方向であり、上記操作レバーにおける回転柵の固定解除操作方向が上方向であることを特徴とする請求項１記載の回転柵のロック構造。
【請求項３】
上記操作レバーに設けた軸によって上記ロックレバーが回転自在に支持されており、先端側が操作部となっている上記ロックレバーの後端側に、上記操作レバーを支持している支持体に設けたロック用突起に係合して上記操作レバーの操作を規制する係合凹所を設けていることを特徴とする請求項１または２記載の回転柵のロック構造。
【請求項４】
上記操作レバーに一端が連結されて上記操作レバーの起倒操作に伴って軸方向移動を行う連結軸の他端に、上記回転柵の固定のための部材が連結されており、上記操作レバーは上記操作レバーを支持している支持体との間で起こした状態と倒した状態とを自己保持するカムを備えていることを特徴とする請求項１〜３のいずれか１項に記載の回転柵のロック構造。
【請求項５】
上記ロックレバーの操作部は上記操作レバーよりも幅狭で上記操作レバーの上面に設けた溝内に位置しているとともに、上記操作レバーの上記固定解除操作方向が引き上げ方向であり、上記ロックレバーの上記規制の解除操作方向が押し込み方向であることを特徴とする請求項３記載の回転柵のロック構造。
【請求項６】
請求項１〜５のいずれか１項に記載の回転柵のロック構造を有するベッド用側柵を備えていることを特徴とするベッド。
【発明の詳細な説明】
【技術分野】
【０００１】
本発明は、ベッドに固定される固定柵と、この固定柵に回転自在に連結される回転柵とからなるベッド用側柵における回転柵のロック構造と、この回転柵のロック構造を有するベッド用側柵を備えたベッドに関するものである。
【背景技術】
【０００２】
介護用に用いられるベッドでは、利用者のベッドからの転落を防ぐために、ベッドのフレームに側柵が取り付けられる。また、上記側柵を固定柵とこの固定柵に対して回転自在な回転柵とで構成し、利用者がベッドから離れる時には回転柵を回転させることで、側柵が邪魔にならないようにすることができるようにしたものが提供されている。
【０００３】
ここにおいて、ベッドから利用者が離れる時、固定柵に対して回転させた回転柵を利用者が掴んで立ち上がったりするために、回転柵は固定できるようにしておく必要がある。また、固定の解除は、要介護者が利用者である場合も考慮すれば、固定と固定解除とを行えるようにしておかなくてはならない。
【０００４】
しかし、固定及び固定解除を例えば操作レバーの起倒操作で行えるようにしておくと、不用意に固定解除を行ってしまう虞がある。
【先行技術文献】
【特許文献】
【０００５】
【特許文献１】特開２００６−２１０１５号公報
【発明の概要】
【発明が解決しようとする課題】
【０００６】
本発明は上記問題に鑑みてなされたもので、回転柵の固定解除を容易に行うことができると同時に、不用意に固定解除を行ってしまう事態を避けることができる回転柵のロック構造及びベッドを提供することを課題とする。
【課題を解決するための手段】
【０００７】
本発明にかかる回転柵のロック構造は、ベッドに固定される固定柵と、この固定柵に回転自在に連結される回転柵とからなるベッド用側柵における回転柵のロック構造であって、固定柵に対する回転柵の固定操作及び固定解除操作のための操作レバーと、操作レバーの操作を規制するロックレバーとを備え、上記ロックレバーにおける上記規制の解除操作方向が、上記操作レバーにおける回転柵の固定解除操作方向と逆方向となっていることに特徴を有している。
【０００８】
上記ロックレバーにおける上記規制の解除操作方向が下方向であり、上記操作レバーにおける回転柵の固定解除操作方向が上方向であることが好ましい。
【０００９】
また、上記操作レバーに設けた軸によって上記ロックレバーが回転自在に支持されており、先端側が操作部となっている上記ロックレバーの後端側に、上記操作レバーを支持している支持体に設けたロック用突起に係合して上記操作レバーの操作を規制する係合凹所を設けていることが好ましい。
【００１０】
更には、上記操作レバーに一端が連結されて上記操作レバーの起倒操作に伴って軸方向移動を行う連結軸の他端に、上記回転柵の固定のための部材が連結されており、上記操作レバーは上記操作レバーを支持している支持体との間で起こした状態と倒した状態とを自己保持するカムを備えていることが好ましい。
【００１１】
また、上記ロックレバーの操作部は上記操作レバーよりも幅狭で上記操作レバーの上面に設けた溝内に位置しているとともに、上記操作レバーの上記固定解除操作方向が引き上げ方向であり、上記ロックレバーの上記規制の解除操作方向が押し込み方向であるものを好適に用いることができる。
【００１２】
そして本発明に係るベッドは、上記の回転柵のロック構造を有するベッド用側柵を備えていることに特徴を有している。
【発明の効果】
【００１３】
本発明においては、操作レバーをロックするロックレバーを備えて、ロックレバーを操作しなければ操作レバーを操作して回転柵の固定解除を行うことができないために、不用意に固定解除がなされてしまう虞を少なくすることができるものであり、しかもロックの解除のためのロックレバーの操作方向と、回転柵の固定解除のための操作レバーの操作方向とを逆としているために、操作レバーの操作時にロックレバーによるロック解除を誤って同時に行ってしまうこともなく、不用意な固定解除操作を排除することができる。
【図面の簡単な説明】
【００１４】
【図１】本発明の実施の形態の一例の断面図である。
【図２】同上の斜視図である。
【図３】同上の要部斜視図である。
【図４】(a)〜(f)は同上の動作を示す断面図である。
【図５】他例の要部斜視図である。
【発明を実施するための形態】
【００１５】
以下本発明を図示の実施例に基づいて詳述すると、図２は本発明にかかるロック手段を備えたベッド用側柵の全体を示しており、ベッド（図示せず）に固定される固定柵１の長手方向端部に回転柵２を回動自在に連結したものとして構成されている。
【００１６】
上記固定柵１は、下方に突出する２本の脚部１１，１１をベッドのフレームに設けた固定孔に差し込み、固定柵１に設けた操作部５を操作することで各脚部１１の下端に設けた斜め臼１２を引き上げることで上記フレームに固定する。なお、操作部５と斜め臼１２との連繋構成についてはここでは説明を省略する。
【００１７】
前記回転柵２は、その一側端の上下２カ所が固定柵１に対して鉛直軸回りに回転自在に取り付けられているのであるが、下方側の取り付け部の構造を図１に示す。図中６は側方に向けて突出する固定部６９が固定柵１に固定される筒状の支持体であり、この支持体６の下端面には、放射状の係合溝６３が設けられている。
【００１８】
支持体６の上端には、軸方向が水平方向となっている軸６０を備えている。スプリングピンで構成した軸６０が操作レバー３に設けられた円弧状の溝３０に挿通されて、操作レバー３は軸６０の回りに回転自在となっている。また、操作レバー３には支持体６内を上下に貫通する連結軸６２の上端が軸６１によって連結されており、操作レバー３の回転に伴い、連結軸６２は上下に移動する。
【００１９】
操作レバー３には、軸４０によってロックレバー４が回転自在に取り付けられている。操作レバー３の基端側の上面を覆うように形成されたロックレバー４は、その先端が操作レバー３よりも幅の狭い操作部４１となっていて、図３に示すように操作レバー３の上面に設けた溝３５内に位置している。ロックレバー４の後端には図１に示すように、支持体６の上端縁に設けたロック用突起６８と係合する係合凹所４２が設けられている。
【００２０】
支持体６の下端よりも下方に突出している連結軸６２の下端部は、上端面に放射状の溝６５を備えて回転柵２に回り止めされた状態で上下にスライド自在に配される係合体６４に挿通され、下端には固定ナット６７が取り付けられる。図中６６は係合体６４を支持体６側に付勢するばねである。
【００２１】
操作レバー３が倒された図１に示す状態は、連結軸６２が引き上げられることで、係合体６４の係合溝６５と、支持体６下端の係合溝６３とが噛み合っている状態である。この時、ばね６６は強く圧縮されている。このために、固定柵１に対して回転柵２は回り止めされた状態にある。
【００２２】
また、ロックレバー４は係合凹所４２を有する後端側が、操作部４１となっている先端側よりも重いために、後端側が下がって係合凹所４２にロック用突起６８が入りこんでいる。このために、操作レバー３を引き上げようとしても、操作レバー３に取り付けられているロックレバー４が支持体６に当たるために、引き上げることはできない。
【００２３】
しかし、図４(f)に示すように、ロックレバー４の操作部４１を押し込めば、ロックレバー４の後端部がロック用突起６８から離れるために、この状態を維持しつつ操作レバー３を引き上げれば、操作レバー３を起こすことができる。そして、操作レバー３を起こした時には、軸６１の位置が下がるために、連結軸６２も下降し、係合体６４の係合溝６５と、支持体６下端の係合溝６３とは、ばね６６の付勢を受けた状態で緩く接触するだけとなる。しかも係合溝６３，６５の側壁は傾斜面となっているために、固定柵１に対して回転柵２を回転させることができるものであり、また、この回転に際して、係合溝６３と係合溝６５の溝間隔に応じた角度毎にクリック感が生ずる。
【００２４】
回転柵２を回転させて固定柵１に対する角度を変更した後、操作レバー３を倒せば、連結軸６２が引き上げられるために、係合体６４の係合溝６５と、支持体６下端の係合溝６３とが再度強く噛み合い、回転柵２を回転させることができない状態となる。また、回転柵２が固定された状態では、ロックレバー４が自重で支持体６と係合する位置に戻るために、操作レバー３のロックが行われる。
【００２５】
ここで、支持体６に設けた操作レバー３の支持用の軸６０は必須のものではない。操作レバー３に軸６１で連結された連結軸６２の下端が固定ナット６７によって回転柵２側にある上に、支持体６の上部内周面で回転についてガイドされているためである。しかし、軸６０を設けることで、ここでは回転柵２の回転を自由にした時に操作レバー３が回転柵２ごと持ち上がることを防止しており、また、操作レバー３の動きに合わせて、回転柵２が強制的にロック解除位置に下がるようにしている。
【００２６】
そして、軸６０は操作レバー３に設けた円弧状の溝３０に挿通して、操作レバー３の操作に伴い、溝３０内における軸６０の位置が変化するようにしている。操作レバー３と連結軸６２とを連結している軸６１を、支持体６における連結軸６２が挿通された孔の直上に常時位置させることで、連結軸６２の上下動を円滑にしている。
【００２７】
また、操作レバー３に設けた角型のカム３２の外面が支持体６の上面部に接触するようにしているために、操作レバー３の操作に対して、節度感を持たせることができる。しかも、操作レバー３を倒して回転柵２を固定した状態及び操作レバー３を起こして回転柵２を回転自在とした状態を、操作レバー３が上記カム３２によって自己保持する。
【００２８】
操作レバー３を倒した時、ロックレバー４が自重でロック位置にくるようにしているが、自重ではなく、ばね付勢でロック位置にくるようにしてもよい。ばね付勢の場合でも、操作レバー３を起こした状態から倒した状態に移行する時、支持体６のロック用突起６８はロックレバー４の内面を摺動するために、ロックレバー４を操作する必要はなく、図１に示すロック状態に自動的に移行する。
【００２９】
ロックレバー４の先端側の操作部４１を操作レバー３よりも幅狭として、操作レバー３の上面の溝３５内に位置させているのは、次の理由による。すなわち、図５に示すように、操作レバー３の全幅よりもロックレバー４の操作部４１の全幅が広いと、ロック状態において、操作レバー３の上面とロックレバー４の操作部４１下面との間に隙間を空けなくてはならない。このような隙間は、ベッドの利用者や介護者の衣服が挟まってしまう事態を招く虞を有しているからである。
【００３０】
上記実施例では、ロックレバー４を押し下げてロックを解除して操作レバー３を引き上げるものとしているが、ロックレバー４の操作方向と、操作レバー３の操作方向とが逆方向となっていればよく、また、ロックレバー４及び操作レバー３の操作方向が上下方向ではなく、左右方向であったり、時計回り方向と逆時計回り方向とであったりしてもよい。もっとも、図示例の操作レバー３及びロックレバー４は、互いの操作方向が逆とはいえ、手のひらでロックレバー４の操作部４１を押しながら指先を操作レバー３に掛けて操作レバー３を起こすことができる。このために回転柵２の固定解除の操作性がきわめて優れたものとなっている。
【００３１】
いずれにしても、本発明においては、ロックレバー４を操作した方向と逆方向に操作レバー３を操作しなければ回転柵２を回転させることができる状態にならないために、回転柵２の固定解除が不用意になされることはない。
【符号の説明】
【００３２】
１  固定柵
２  回転柵
３  操作レバー
４  ロックレバー
６  支持体
【図１】
2014064644.tif 000003
【図２】
2014064644.tif 000004
【図３】
2014064644.tif 000005
【図４】
2014064644.tif 000006
【図５】
2014064644.tif 000007